(57)【要約】【課題】転送手順を簡略化しデータ転送の利便性を大幅に向上させることができること。【解決手段】充電器１１に設けられたＲＦＩＤ１２からＩＤを読み取る非接触ＩＣカード機能部１７と、サーバ１３からデータを読み取り内部に蓄積するデータ蓄積部１５と、非接触ＩＣカード機能部１７が予め定められたＩＤを読み取ったときにデータ蓄積部１５にサーバ１３からデータを読み取らせる制御部１４とを有する。【選択図】図２
2015125574.tif 000002
【特許請求の範囲】
【請求項１】
充電器に設けられたＲＦＩＤからＩＤを読み取る非接触ＩＣカード機能部と、
サーバからデータを読み取り内部に蓄積するデータ蓄積部と、
前記非接触ＩＣカード機能部が予め定められたＩＤを読み取ったときに前記データ蓄積部にサーバからデータを読み取らせる制御部と
を有するデータ転送システム。
【請求項２】
前記制御部は、
予めユーザの定める条件に従い読み取り蓄積するものとして前記サーバ内のデータから抽出したデータを記録した転送リストを作成する転送リスト作成部と、
予めユーザの定める条件に従い内部に蓄積しているデータから抽出した削除可能なデータ、及び削除の優先順を記録した削除リストを作成する削除リスト作成部と、
転送リストに記録されたデータの容量が内部に蓄積可能なデータの容量より大きければ削除リストに従い内部に蓄積したデータを削除して空き容量を確保する削除部と
を有する請求項１に記載のデータ転送システム。
【請求項３】
前記制御部は、充電中に充電率が８０％以上であれば充電を注視してサーバからのデータの読み取りを可能とし、データの読み取り中に充電率が３０％以下となったときにはデータの読み取りを中断して充電を開始する充電読み取り排他部
を有する請求項１または２に記載のデータ転送システム。
【請求項４】
前記制御部は、一定時間経過しても、ＩＤとの照合が完了しない場合は転送動作を停止して、通常の充電モードへ移行する
請求項１〜３のいずれか一項に記載のデータ転送システム。
【請求項５】
前記充電器は、前記ＲＦＩＤを取り外し可能である
請求項１〜４のいずれか一項に記載のデータ転送システム。
【請求項６】
前記サーバは、転送予定データと削除予定データをデバイスに表示し、ユーザによる転送許可により削除予定データの削除を始める
請求項１〜５のいずれか一項に記載のデータ転送システム。
【請求項７】
転送許可は、ユーザによって設定可能であり、前記制御部は、前記転送許可が一定時間ない場合、ユーザによって許可が出されたものと認識する
請求項１〜６のいずれか一項に記載のデータ転送システム。
【請求項８】
前記データの削除と前記データの転送とは、ユーザによって進捗度に応じた転送リミットを設定可能である
請求項１〜７のいずれか一項に記載のデータ転送システム。
【請求項９】
充電器に設けられたＲＦＩＤからＩＤを読み取るＲＦＩＤ・Ｒ／Ｗ段階と、
サーバからデータを読み取り内部に蓄積するデータ蓄積段階と、
前記ＲＦＩＤ・Ｒ／Ｗ段階が予め定められたＩＤを読み取ったときに前記データ蓄積段階に前記サーバからデータを読み取らせる制御段階と
を有するデータ転送方法。
【発明の詳細な説明】
【技術分野】
【０００１】
本発明は、データ転送システム及びデータ転送方法に関する。
【背景技術】
【０００２】
無線通信回線を通じてダウンロードサイトより音楽データ等の所定データをダウンロードすることができる無線装置がある。
【０００３】
このような背景に関連する技術としては、様々なものが知られている（例えば、特許文献１参照。）。
【０００４】
例えば、特許文献１には、電池の電圧値が記録メディアにデータを書き込むのに必要なしきい値より小さくなるときは、所定データの書き込みを中断する無線装置が記載されている。より具体的に説明すると、この無線装置は、電池の電圧値が記録メディアにデータを書き込むのに必要なしきい値より小さくなるときは、所定データの書き込みを中断するとともに、ダウンロードサイトの電話番号と書き込みを中断した所定データの情報等を記憶手段に記憶し、その後に電池の電圧値がしきい値以上となるとき、記憶手段に記憶されている情報を利用して自動的にダウンロードを再開して、記録メディアに所定データの残りのデータを書き込む。このようにして、この無線装置によっては、電池として小容量のものを使用して装置の小型軽量化を図ると共に、通信料金の無駄をなくすことができる。
【０００５】
パーソナルコンピュータや個人情報端末や携帯電話などの情報機器で利用可能な音楽や画像等のデータファイル、プログラム等を供給する情報提供方法がある。
【０００６】
このような背景に関連する技術としては、様々なものが知られている（例えば、特許文献２参照。）。
【０００７】
例えば、特許文献２には、パーソナルコンピュータや個人情報端末、携帯電話などの情報機器で利用可能な音楽や画像等のデータファイル、プログラム等を供給する情報提供方法が記載されている。より具体的に説明すると、この情報提供方法は、データの配信元サーバーにアクセスするために必要なアクセス情報を書き込んだ非接触型情報記録媒体を商品に添付して流通させる行程と、商品を入手した消費者が非接触型情報記録媒体から消費者の端末にアクセス情報を読み取ってデータの配信元にアクセスする行程と、データの配信元サーバーにアクセスしてきた端末に対してデータを配信可能とするための認証情報を要求する行程と、データ配信元サーバーに端末から認証情報を受け取った場合、データの配信元から端末に所定のデータを送信して端末に一時保存する行程と、端末からデータを非接触型情報記録媒体に転送記録して端末から削除する行程と、を備える。このようにして、この情報提供方法によっては、消費者は商品等に貼付して配布された非接触型情報記録媒体を端末で読み取ることにより、コンピュータネットワークにアクセスし、認証情報によって確認確認された後、データ配信元サーバーから有益なデータ等のソフトを非接触型情報記録媒体に転送記録できる。また、この情報提供方法によっては、転送記録後は消費者側の端末からデータが削除され、ソフトは特定の非接触型情報記録媒体にのみ保存され、消費者はこの非接触型情報記録媒体から読みとることによりいつでもソフトを利用できる。
【０００８】
コンテンツ記録機器と、コンテンツを持ち運ぶことができるモバイル機器と、を含み、コンテンツを自動的に取得するシステムがある。
【０００９】
このような背景に関連する技術としては、様々なものが知られている（例えば、特許文献３参照。）。
【００１０】
例えば、特許文献３には、モバイル機器を充電等のためにクレードル等に接続するイベントを契機として、コンテンツ記録機器との間で通信を行い、相互認証を行うコンテンツ自動コピーシステムが記載されている。より具体的に説明すると、このコンテンツ自動コピーシステムは、コンテンツ記録機器においては、ユーザーとモバイル機器との対応関係を記憶しておき、コンテンツ記録機器がモバイル機器の個体判定を行う。そして、モバイル機器にコピーするコンテンツは、対応関係のあるユーザーのコンテンツだけとする。また、このコンテンツ自動コピーシステムは、相互認証時に、モバイル機器のコンテンツ保存領域の空き容量や再生可能なファイル形式をコンテンツ記録機器に送信する。さらに、このコンテンツ自動コピーシステムは、モバイル機器とコンテンツ記録機器間でコンテンツの視聴状況、レジューム情報を交換する。また、このコンテンツ自動コピーシステムは、コンテンツの視聴状況などの情報により、コンテンツ記録機器およびモバイル機器の不要なコンテンツを自動的に削除する。このようにして、このコンテンツ自動コピーシステムによっては、コンテンツ記録機器とモバイル機器との間のデータコピーを自動化することができ、利用者側の操作負担を軽減することができる。
【先行技術文献】
【特許文献】
【００１１】
【特許文献１】特開２０００−２５３０１０号公報
【特許文献２】特開２００６−０４８１５９号公報
【特許文献３】特開２００９−１６９４６０号公報
【発明の概要】
【発明が解決しようとする課題】
【００１２】
通常、デバイスで音楽や映像などのコンテンツを楽しむことは一般的になっている。例えば、パーソナルコンピュータ（以下、単にＰＣと言う。）やネットワークアタッチトストレージ（ＮＴＳ（Ｎｅｔｗｏｒｋ  Ａｔｔａｃｈｅｄ  Ｓｔｏｒａｇｅ））等（以下、単にサーバと言う。）に取りためたコンテンツデータは、ＵＳＢケーブルを介してデバイスに転送することで、外出先でもデバイスに保存されたコンテンツを楽しむことができる。しかし、一般的には、以下の手順を踏む必要があり利便性が悪かった。手順の一つ目は、ＰＣを立ち上げ、専用アプリケーションを起動する。手順の二つ目は、デバイスとＰＣとをＵＳＢケーブルでつなぎ、ＰＣにデバイスを認識させる。手順の三つ目は、専用アプリケーションから、転送するコンテンツデータを選択する。手順の四つ目は、デバイスの空き容量が不足する場合は、空き容量確保のため必要のないデータを削除する。手順の五つ目は、アプリケーション上で転送を実行し、コンテンツデータをＰＣからデバイスへ転送させる。である。ここで、ＵＳＢケーブルの代替手段としては、無線通信があるが、電流消費の大きい大容量データ転送には充電が不可欠である。また、長時間にわたる充電中の大容量データ無線転送には、デバイス本体の温度上昇によって保護回路が動作し、無線通信機能の停止につながるという課題を有する。そのため、複雑な転送手順を行わなければならず、極めて煩雑であった。
【００１３】
一方、特許文献１に記載の発明は、書き込みに係る専用のアプリケーションを立ち上げる必要があるために、利便性が良好ではない。
【００１４】
他方、特許文献２に記載の発明は、データの転送に際し、コンピュータネットワークにアクセスし、認証情報によって確認確認された後、データ配信元サーバーから有益なデータ等のソフトが転送される。そのため、特許文献２に記載の発明は、コンピュータネットワークにアクセスしなければならないので、利便性が良好ではない。
【００１５】
さらに、特許文献３に記載の発明は、モバイル機器にコピーするコンテンツが、対応関係のあるユーザーのコンテンツだけも限られるために、利便性が良好ではない。
【課題を解決するための手段】
【００１６】
上記課題を解決するために、本発明の第１の形態によると、データ転送システムであって、充電器に設けられたＲＦＩＤからＩＤを読み取る非接触ＩＣカード機能部と、サーバからデータを読み取り内部に蓄積するデータ蓄積部と、非接触ＩＣカード機能部が予め定められたＩＤを読み取ったときにデータ蓄積部にサーバからデータを読み取らせる制御部とを有する。
【００１７】
本発明の第２の形態によると、データ転送方法であって、充電器に設けられたＲＦＩＤからＩＤを読み取るＲＦＩＤ・Ｒ／Ｗ段階と、サーバからデータを読み取り内部に蓄積するデータ蓄積段階と、ＲＦＩＤ・Ｒ／Ｗ段階が予め定められたＩＤを読み取ったときにデータ蓄積段階にサーバからデータを読み取らせる制御段階とを有する。
【００１８】
なお、上記の発明の概要は、本発明の必要な特徴の全てを列挙したものではない。また、これらの特徴群のサブコンビネーションもまた、発明となり得る。
【発明の効果】
【００１９】
以上の説明から明らかなように、この発明によっては、転送手順を簡略化しデータ転送の利便性を大幅に向上させることができる。
【図面の簡単な説明】
【００２０】
【図１】一実施形態に係るデータ転送システム１００の概念図である。
【図２】データ転送システム１００の一例のブロック構成図である。
【図３】制御部１４のブロック構成図である。
【図４】設定、転送の具体的表示を示し、（ａ）は設定表示の一例を示し、（ｂ）は転送予定リスト表示の一例を示す。
【図５】データ抽出のアルゴリズムの一例を示す。
【図６】設定、転送の具体的表示を示し、（ａ）は設定表示の一例を示し、（ｂ）は設定表示の他例を示し、（ｃ）は削除リスト表示の一例を示す。
【図７】データ削除のアルゴリズムの一例を示す。
【図８】転送アルゴリズムを示す。
【図９】通知表示の一例を示す。
【図１０】通知表示の他例を示す。
【図１１】通知表示の他例を示す。
【図１２】通知表示の他例を示す。
【図１３】充電制御の動作を示す。
【発明を実施するための形態】
【００２１】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２２】
図１は、一実施形態に係るデータ転送システム１００の概念図を示す。図１に示すように、データ転送システム１００は、ユーザが携帯するデバイス１０、デバイス１０に電気的に接続される充電器１１、充電器１１に内蔵されたＲＦＩＤ１２、サーバ１３を備える。デバイス１０は、表示画面（以下、単に画面とも言う。）Ｓを有する。ＲＦＩＤ１２とは、無線チップにより、人やモノを識別・管理する装置（Ｒａｄｉｏ  Ｆｒｅｑｕｅｎｃｙ  Ｉｄｅｎｔｉｆｉｃａｔｉｏｎ）を意味する。
【００２３】
図２は、データ転送システム１００の一例のブロック構成図を示す。図２に示すように、デバイス１０は、制御部１４、本発明の「データ蓄積部」の一例としてのメモリ１５、無線通信機能１６、本発明の「非接触ＩＣカード機能部」の一例としての非接触ＩＣカード機能１７、充電機能１８を備える。サーバ１３は、無線通信機能１９、メモリ２０を備える。充電器１１は、ＲＦＩＤ１２、充電機能２１を備える。
【００２４】
デバイス１０の制御部１４は、メモリ１５、無線通信機能１６、非接触ＩＣカード機能１７、充電機能１８との間で信号の授受を行う。の無線通信機能１９は、メモリ２０との間で信号の授受を行うとともに、デバイス１０の無線通信機能１６との間で信号の授受を行う。充電器１１のＲＦＩＤ１２は、デバイス１０の非接触ＩＣカード機能１７との間で信号の授受を行う。充電器１１の充電機能２１は、デバイス１０の充電機能１８に所定の電力を与える。
【００２５】
デバイス１０は、充電器１１に電気的に接続されることにより、充電機能１８の充電が開始されるとともに非接触ＩＣカード機能１７がオン（ＯＮ）になり、充電器１１のＲＦＩＤ１２を読み取る。
【００２６】
デバイス１０のメモリ１５には、ＲＦＩＤ１２に対応したＩＤが予め記録されており、ＲＦＩＤ１２の読み取り結果がメモリ１５に記録されたＩＤと照合されると無線通信機能１６を介してサーバ１３との通信が開始される。通信が開始されると、デバイス１０の制御部１４は、無線通信機能１６を介してサーバ１３のメモリ２０内にあるデータをアルゴリズムに沿って解析する。
【００２７】
デバイス１０の制御部１４は、解析結果をもとにサーバ１３からデバイス１０へ転送されるデータのリストを作成し、転送データの合計容量を計算する。このとき、デバイス１０の制御部１４は、サーバ１３からの転送データ容量とデバイス１０のメモリ１５の空き容量とを比較し、空き容量が十分あると判断したとき、デバイス１０は、サーバ１３のデータ取得を開始する。そして、デバイス１０は、転送が完了すると、通常の充電モードに移行し一連の動作が完了する。
【００２８】
図３は、制御部１４のブロック構成図である。図３に示すように、制御部１４は、転送リスト作成部２２、削除リスト作成部２３、削除部２４、充電読み取り排他部２５を備える。
【００２９】
転送リスト作成部２２は、予めユーザの定める条件に従い読み取り蓄積するものとしてサーバ１３内のデータから抽出したデータを記録した転送リストを作成する。
【００３０】
削除リスト作成部２３は、予めユーザの定める条件に従い内部に蓄積しているデータから抽出した削除可能なデータ、及び削除の優先順を記録した削除リストを作成する。
【００３１】
削除部２４は、転送リストに記録されたデータの容量が内部に蓄積可能なデータの容量より大きければ削除リストに従い内部に蓄積したデータを削除して空き容量を確保する。
【００３２】
充電読み取り排他部２５は、充電中に充電率が、例えば、８０％以上であれば充電を中止してサーバ１３からのデータの読み取りを可能とし、データの読み取り中に充電率が、例えば、３０％以下となったときにはデータの読み取りを中断して充電を開始する。
【００３３】
次に、データ転送システム１００の具体的な動作について説明する。デバイス１０は、転送を実施する前に、ユーザが任意に設定する条件に見合ったデータをサーバ１３内から抽出してリスト化する必要がある。
【００３４】
図４は、転送リスト作成部２２によるリストの設定及び転送の具体的表示を示し、（ａ）は設定表示の一例を示し、（ｂ）は転送予定リスト表示の一例を示す。図５は、データ抽出のアルゴリズムの一例を示す。図４（ａ）に示すように、デバイス１０側にて設定される項目と作成される転送リストにおいて、特定期間（例えば、２０１３年７月〜２０１３年１２月）がサーバ１３に記録され、まだデバイス１０へは未転送のデータのなかで、特定フォーマット（ＡＡＣ、ＭＰ３）のデータを抽出し、転送対象とする。図４（ｂ）に示すように、この場合、転送対象は、データＡ、データＤ、データＦである。このとき、転送予定のデータ容量に対してデバイスのメモリ空き容量が不足する場合、デバイス１０は、ユーザが予め設定した条件でデバイス１０内のデータを削除する順番を順位付けし、結果をリスト化しデバイス１０のメモリ１５に保存する。
【００３５】
図５に示すように、データの抽出においては、まず、ユーザがデバイス１０上で転送条件を設定する（Ｓ１０１）。次に、転送動作が開始される（Ｓ１０２）。続いて、デバイス１０が転送条件を満足するデータを抽出し、リスト化する（Ｓ１０３）。次に、ユーザの認証後、データの転送が開始される（Ｓ１０４）。
【００３６】
デバイス１０は、データの転送に必要なデバイス１０のメモリ空き容量を確保するために、デバイス１０のメモリ１５に格納されたデータをリストの上位から削除する。図６は、削除リスト作成部２３及び削除部２４による設定、転送の具体的表示を示し、（ａ）は設定表示の一例を示し、（ｂ）は設定表示の他例を示し、（ｃ）は削除リスト表示の一例を示す。図７は、データ削除のアルゴリズムの一例を示す。図６（ａ）、（ｂ）に示すように、削除リスト作成部２３は、データの転送日が古い順に順位付けする。ここでは、データの転送日で並び替えをしたうえで、さらに再生回数の並び替えを行う。図６（ｃ）に示すように、転送日が同一のデータが複数ある場合は、同一転送日のデータを再生回数の少ないデータ（音楽コンテンツであれば、アルバム単位）の順にさらに順位付けする。これにより、デバイス１０は、削除順位における同一順位の発生を抑えることができる。また、必要なデータは、保護データとして削除対象から外される。ここでは、データＢ、データＣ、データＤ、データＯ、データＰ、データＬ、データＭ、データＧ、データＩの順に削除順位が設定される。データＮ、データＡ、データＥ、データＨ、データＪ、データＫは、削除対象外に設定される。
【００３７】
図７に示すように、削除部２４によるデータ削除においては、まず、ユーザがデバイス１０上で削除条件を設定する（Ｓ２０１）。次に、転送動作が開始される（Ｓ２０２）。そして、デバイス１０が削除条件に基づき、サーバ１３内のデータを順位付ける（Ｓ２０３）。続いて、デバイス１０の空き容量を確保するため、削除が必要なデータを順位の上位から抽出し、リスト化する（Ｓ２０４）。そして、ユーザの認証後、データ削除が開始される（Ｓ２０５）。
【００３８】
図８は、全体の転送アルゴリズムを示す。図９は、通知表示の一例を示す。図１０は、通知表示の他例を示す。図１１は、通知表示の他例を示す。図１２は、通知表示の他例を示す。なお、ここでは、非接触ＩＣカード機能１７を「ＲＦＩＤ・Ｒ／Ｗ機能１７」と記載する。図８に示すように、まず、デバイス１０が充電器１１にセットされる（Ｓ３０１）。次に、充電が開始される（Ｓ３０２）。そして、ＲＦＩＤ・Ｒ／Ｗ機能１７が起動され、充電器１１に内蔵されているＲＦＩＤ１２を読み込む（Ｓ３０３）。次に、デバイス１０のメモリ１５に格納されたＩＤと照合されるか否かが判別される（Ｓ３０４）。デバイス１０のメモリ１５に格納されたＩＤと照合された場合、デバイス１０のＲＦＩＤ  Ｒ／Ｗ機能１７が停止される（Ｓ３０５）。このとき、一定時間経過しても、ＩＤとの照合が完了しない場合は、転送動作を停止し、通常の充電モードへ移行する（Ｓ３１７）。ここで、ユーザは、充電器１１に内蔵されているＲＦＩＤ１２を外すことで、転送動作が開始しないように設定することができる。
【００３９】
次に、デバイス１０によって、サーバ１３内のデータが解析され、転送予定データを抽出したうえで転送予定データ容量が計算される（Ｓ３０６）。続いて、転送データがあるかないかが判別される（Ｓ３０７）。転送データがない場合、転送を停止して通常の充電モードへ移行する（Ｓ３１７）。転送データがある場合、サーバ１３からの転送データの容量が計算される（Ｓ３０８）。そして、転送データに対してデバイス１０の空き容量が大きいか否かが判別される（Ｓ３０９）。ここで、転送データに対してデバイス１０の空き容量が大きい場合、デバイス１０は、画面Ｓ上に転送データリストを表示する（Ｓ３１０）。すなわち、図９に示すように、デバイス１０は、画面Ｓ上に転送データリストを表示する。これに反して、転送データに対してデバイス１０の空き容量が大きくなく、空き容量に不足があった場合は、データ転送に必要な空き容量を確保するために、削除予定データを削除順位に従い抽出する（Ｓ３１８）。ここで、転送データは、データＡ、データＢ、データＣ、データＤが設定される。また、削除データは、データＥ、データＦ、データＧ、データＨが設定される。
【００４０】
デバイス１０は、サーバ１３内の転送予定データと削除予定データとをユーザに通知し、ユーザが転送許可を出したか否かが判別される（Ｓ３１１）。ユーザが転送許可を出した場合、デバイス１０内のデータ削除とデータ転送とが開始される（Ｓ３１２）。すなわち、図１０に示すように、制御部１４は、ユーザが設定できるものとして画面Ｓ上に時間を通知する。ここで、転送データのうち、データＡは転送済みであることが表示される。データＢは転送中であることが表示される。また、削除データのうち、データＥ及びデータＦは削除済みであることが表示される。制御部１４は、ユーザによる転送許可が、一定時間何も操作されない場合も、ユーザが許可を出したものと認識する。このとき、削除と転送との工程は、ユーザが事前に進捗度に応じた転送リミットを設定することで区切ることができる。これによって、制御部１４は、データ転送に必要な空き容量確保のためのデバイス１０のメモリ１５に保存されたデータの一括削除を避けることができる。これは、例えば、転送を中断した場合に、この機能によってデバイス１０のメモリ１５に保存されたデータの削除を最小限に留めることができる。このとき、ユーザが転送許可を出さなかった場合、転送を停止して通常の充電モードへ移行する（Ｓ３１７）。次に、制御部１４は、転送進捗が＊＊％に到達したところで、転送を一時停止し、転送進捗を画面Ｓに表示する（Ｓ３１３）。すなわち、図１１に示すように、デバイス１０の画面Ｓに、転送途中経過が表示される。ここで、転送データのうち、データＡ及びデータＢは転送済みであることが表示される。また、削除データのうち、データＥ及びデータＦは削除済みであることが表示される。
【００４１】
次に、一定時間経過後またはユーザによって転送継続を許可したか否かが判別される（Ｓ３１４）。一定時間経過後またはユーザによって転送継続が許可された場合、データ転送が完了されたか否かが判別される（Ｓ３１５）。データ転送が完了されている場合、制御部１４は、転送結果を画面Ｓに表示する。すなわち、図１２に示すように、デバイス１０の画面Ｓに、転送結果が表示される。ここで、転送データは、データＡ、データＢ、データＣ及びデータＤは転送済みであることが表示される。また、削除データは、データＥ、データＦ、データＧ及びデータＨは削除済みであることが表示される。このとき、データ転送が完了されていない場合、デバイス１０内のデータ削除とデータ転送とが開始される（Ｓ３１２）。そして、転送を停止し、通常の充電モードに復帰する（Ｓ３１７）。
【００４２】
ここで、充電読み取り排他部２５は、充電と転送動作の制御については、充電中の大容量データ無線転送によるデバイス１０の本体の温度上昇によって保護回路が動作し、無線通信機能１６が停止する課題を回避するために、充電動作とデータの転送動作とは、互いに排他とする。
【００４３】
図１３は、充電制御の動作を示す。図１３に示すように、充電が開始される（Ｓ４０１）。次に、ユーザによって転送が許可される（Ｓ４０２）。続いて、デバイス１０の制御部１４によって充電率が確認される（Ｓ４０３）。そして、充電率が８０％を超えたか否かが判別される（Ｓ４０４）。ここで、充電率については、任意に設定することができる。充電率が８０％を超えた場合、充電が停止される（Ｓ４０５）。しかし、充電率が８０％を超えていない場合、デバイス１０の制御部１４によって充電率が確認される（Ｓ４０３）。すなわち、ユーザが転送を許可した後、電池の充電率が８０％以上であると充電が停止され、転送が開始される。充電率が８０％以下の場合は、充電が継続され、転送は開始されない。
【００４４】
次に、充電が停止した後に、デバイス１０内のデータ削除とデータ転送とが開始される（Ｓ４０６）。そして、充電率が３０％以下か否かが判別される（Ｓ４０７）。ここで、充電率については、任意に設定することができる。充電率が３０％以下である場合、デバイス１０内のデータ削除とデータ転送とが中断される（Ｓ４０８）。そして、充電が再開される。ここで、充電率が３０％以下ではない場合、データ転送が完了されているか否かが判別される（Ｓ４１０）。そして、データ転送が完了されている場合、転送が停止され、通常の充電モードに復帰する（Ｓ４１１）。このとき、データ転送が完了されていない場合、充電率が３０％以下か否かが判別される（Ｓ４０７）。
【００４５】
このように、転送が開始され、電池の充電率が３０％を下回ると、転送は、一時中断されて充電が再開される。これにより、充電読み取り排他部２５によって、充電と転送とを排他動作とすることで、同時動作させた場合に生じる電流消費を平準化することができ、デバイス１０の本体の温度上昇を抑え、保護回路の作動を回避することで、無線通信機能１６を継続的に動作させることができる。
【００４６】
以上説明したように、本実施形態のデータ転送システム１００は、転送データの選択、転送に必要なデバイスのメモリ１５の空き容量の確保のためのデータ削除をユーザ設定による独自のアルゴリズムを用いることで自動化できる。このとき、一連の転送動作に関わる制御は、デバイス１０側で実施されるため、ＰＣ等の専用アプリケーションを立ち上げる必要もない。その結果、本実施形態のデータ転送システム１００は、転送手順を簡略化しデータ転送の利便性を大幅に向上させることができる。
【００４７】
また、本実施形態のデータ転送システム１００は、デバイス１０を特定の充電器１１で充電するという行為で転送動作を開始させることができる。ここで、単に充電器で充電するという動作を転送開始のきっかけとした場合、特定の充電器１１以外で充電する際に意図しない転送が開始されてしまうことになる。そのため、本実施形態のデータ転送システム１００では、比較的安価なＲＦＩＤ１２を充電器１１に内蔵し、デバイス１０にも非接触ＩＣカード機能１７を有し、転送開始の条件にデバイス１０が充電器１１内のＲＦＩＤ１２とデバイス１０に予め設定されたＩＤと照合する。これにより、転送動作が開始される充電器１１を限定させ、意図しない転送の開始を回避することができる。
【００４８】
また、本実施形態のデータ転送システム１００は、予めユーザの定める条件に従い読み取り蓄積するものとしてサーバ内のデータから抽出したデータを記録した転送リストを作成する転送リスト作成部２２と、予めユーザの定める条件に従い内部に蓄積しているデータから抽出した削除可能なデータ、及び削除の優先順を記録した削除リストを作成する削除リスト作成部２３と、転送リストに記録されたデータの容量が内部に蓄積可能なデータの容量より大きければ削除リストに従い内部に蓄積したデータを削除して空き容量を確保する削除部２４を有する。そのため、本実施形態のデータ転送システム１００は、ユーザヨによって複雑な操作を行わないようにするためのアルゴリズムを構築できる。
【００４９】
また、本実施形態のデータ転送システム１００では、転送中の動作においては、充電と転送とを排他動作とする充電制御を行う充電読み取り排他部２５をデバイス１０の制御部１４に有する。すなわち、充電読み取り排他部２５は、充電中に充電率が８０％以上であれば充電を中止してサーバ１３からのデータの読み取りを可能とし、データの読み取り中に充電率が３０％以下となったときにはデータの読み取りを中断して充電を開始する。このように、本実施形態のデータ転送システム１００では、同時に動作させた場合に生じる電流消費を平準化することができる。これにより、本実施形態のデータ転送システム１００では、デバイス１０の本体の温度上昇を抑え、保護回路の作動を回避することで無線通信機能１６を継続的に動作させることができる。
【００５０】
また、本実施形態のデータ転送システム１００では、制御部１４は、一定時間経過しても、ＩＤとの照合が完了しない場合は転送動作を停止して、通常の充電モードへ移行する。そのため、本実施形態のデータ転送システム１００では、無駄な電力消費を避けることができる。
【００５１】
また、本実施形態のデータ転送システム１００では、充電器１１は、ＲＦＩＤ１２を取り外し可能である。そのため、本実施形態のデータ転送システム１００では、ユーザの意図なく転送動作が開始されないようにできる。
【００５２】
また、本実施形態のデータ転送システム１００では、サーバ１３は、転送予定データと削除予定データをデバイス１０に表示し、ユーザによる転送許可により削除予定データの削除を始める。そのため、本実施形態のデータ転送システム１００では、ユーザの許可を最優先にできる。
【００５３】
また、本実施形態のデータ転送システム１００では、転送許可は、ユーザによって設定可能であり、制御部１４は、転送許可が一定時間ない場合、ユーザによって許可が出されたものと認識する。そのため、ユーザが許可を忘れた場合等に、ユーザに代わって転送を実行することができる。
【００５４】
また、本実施形態のデータ転送システム１００では、データの削除とデータの転送とは、ユーザによって進捗度に応じた転送リミットを設定可能である。そのため、ユーザの設定を最優先位できる。
【００５５】
なお、データ転送システム１００及びデータ転送方法は、前述した一実施形態に限定するものでなく、適宜な変形や改良等が可能である。
【符号の説明】
【００５６】
１００  データ転送システム
１０  デバイス
１１  充電器
１２  ＲＦＩＤ
１３  サーバ
１４  制御部
１５  メモリ
１６  無線通信機能
１７  非接触ＩＣカード機能
１８  充電機能
１９  無線通信機能
２０  メモリ
２１  充電機能
２２  転送リスト作成部
２３  削除リスト作成部
２４  削除部
２５  充電読み取り排他部
Ｓ  表示画面
【図１】
2015125574.tif 000003
【図２】
2015125574.tif 000004
【図３】
2015125574.tif 000005
【図４】
2015125574.tif 000006
【図５】
2015125574.tif 000007
【図６】
2015125574.tif 000008
【図７】
2015125574.tif 000009
【図８】
2015125574.tif 000010
【図９】
2015125574.tif 000011
【図１０】
2015125574.tif 000012
【図１１】
2015125574.tif 000013
【図１２】
2015125574.tif 000014
【図１３】
2015125574.tif 000015